(57)【要約】【課題】弦楽器の演奏中に、ピックがずれたり、汗で滑ったりすることのないピック用滑り止めシールを提供する。【解決手段】本考案に係るピック用滑り止めシール１は、弦楽器を演奏するために使用される板状のピック１０の少なくとも一方の面に貼付可能に設けられ、透明色のシリコンラバー製の薄いシート状に形成されていることを特徴とする。これにより、弦楽器の演奏中に、ピックがずれたり、汗で滑ったりするのを防止することができる。【選択図】図４
0003210341.tif 000002
【実用新案登録請求の範囲】
【請求項１】
弦楽器を演奏するために使用される板状のピックの少なくとも一方の面に貼付可能に設けられ、透明色のシリコンラバー製の薄いシート状に形成されていることを特徴とするピック用滑り止めシール。
【考案の詳細な説明】
【技術分野】
【０００１】
本考案は、ギターなどの弦楽器を演奏するために使用されるピックに貼り付けられるピック用滑り止めシールに関する。
【背景技術】
【０００２】
従来、ギターなどの弦楽器を演奏するためにピックが使用されている。一般的なピックは、セルロイドなどのプラスチック製の薄い板状で三角形状を成しており、主に親指と人差指とで挟んで弦を弾くことで弦楽器の音を鳴らすようになっている（例えば、非特許文献１参照）。
【先行技術文献】
【非特許文献】
【０００３】
【非特許文献１】サクラ楽器の楽天市場店のウェブサイト                          http://item.rakuten.co.jp/sakuragk/pw-pick10/
【考案の概要】
【考案が解決しようとする課題】
【０００４】
しかしながら、上記した従来のピックは、弦楽器の演奏中にずれたり、汗で滑ったりして、演奏に集中できないなどといった問題があった。
【０００５】
本考案は、上記した課題を解決すべくなされたものであり、弦楽器の演奏中に、ピックがずれたり、汗で滑ったりすることのないピック用滑り止めシールを提供することを目的とする。
【課題を解決するための手段】
【０００６】
上記した目的を達成するため、本考案に係るピック用滑り止めシールは、弦楽器を演奏するために使用される板状のピックの少なくとも一方の面に貼付可能に設けられ、透明色のシリコンラバー製の薄いシート状に形成されていることを特徴とする。
【考案の効果】
【０００７】
本考案によれば、弦楽器の演奏中に、ピックがずれたり、汗で滑ったりすることのないピック用滑り止めシールを提供することができる等、種々の優れた効果を得ることができる。
【図面の簡単な説明】
【０００８】
【図１】本考案の実施の形態に係るピック用滑り止めシールを示す平面図である。
【図２】本考案の実施の形態に係るピック用滑り止めシールの使用方法を示す斜視図である。
【図３】本考案の実施の形態に係るピック用滑り止めシールの使用方法を示す斜視図である。
【図４】本考案の実施の形態に係るピック用滑り止めシールをギターピックに貼り付けた状態を示す平面図である。
【考案を実施するための形態】
【０００９】
以下、図面を参照しつつ、本考案の実施の形態について説明する。
【００１０】
まず、図１を参照しつつ、本考案の実施の形態に係るピック用滑り止めシール１の構成について説明する。ここで、図１はピック用滑り止めシール１を示す平面図である。
【００１１】
図１に示されているように、本考案に係るピック用滑り止めシール１は、透明色のシリコンラバー製の薄い円形シート状に形成されている。ピック用滑り止めシール１は、例えば、１８ｍｍの直径、０．０５ｍｍの厚みを有しており、長方形状の台紙２上に５０枚（縦５行×横１０列）配置されている。ピック用滑り止めシール１の表面は、薄い透明な保護シート（図示省略）により覆われている。
【００１２】
次に、図２乃至図４を参照しつつ、上記した構成を有する本考案の実施の形態に係るピック用滑り止めシール１の使用方法について説明する。ここで、図２及び図３はピック用滑り止めシール１の使用方法を示す斜視図、図４はピック用滑り止めシール１をギターピック１０に貼り付けた状態を示す平面図である。なお、以下の説明では、本考案の実施の形態に係るピック用滑り止めシール１をトライアングル型（おにぎり型）のギターピック１０に使用する場合について例示して説明する。
【００１３】
図２に示すように、指先で台紙２から１枚のピック用滑り止めシール１を剥がし、図３に示すように、ギターピック１０の一方の面に貼り付ける。その後、特に図示しないが、ピック用滑り止めシール１の表面を覆う前記保護シートを剥がし、ギターピック１０を使用する。なお、同様の手順で、ギターピック１０の他方の面にもピック用滑り止めシール１を貼り付けても良い。
【００１４】
これにより、図４に示されているように、ギターの演奏者の親指及び又は人差指が触れるギターピック１０の面にピック用滑り止めシール１が貼付されるため、ギターの演奏中に、ギターピック１０がずれたり、汗で滑ったりすることがない。
【００１５】
また、ピック用滑り止めシール１の素材がシリコンラバーであり、自然な感覚で指先に優しくフィットするため、ギターピック１０を握った際に違和感がなく、ちょうど良いグリップ感を得ることができる。さらに、ギターの演奏中又は演奏後、ギターピック１０を握った指に不快な粘着感が残ることがない。
【００１６】
また、ピック用滑り止めシール１は、透明色であるため、ギターピック１０に描かれているデザインやロゴを隠すことなく使用することができ、ギターピック１０のデザイン性を損なうことがない。
【００１７】
さらに、ピック用滑り止めシール１は、薄いシート状に形成されているため、ギターピックの形状や演奏スタイルなどに合わせて、所望なサイズに自由にカットすることができ
る。さらにまた、ギターピック１０に対して片面貼り又は両面貼りするなど、演奏者の好みに合わせて自由に使用することができる。
【００１８】
なお、上記した本考案の実施の形態の説明では、本考案に係るピック用滑り止めシール１をトライアングル型（おにぎり型）のギターピック１０に使用した場合について説明したが、これは単なる例示であり、本考案に係るピック用滑り止めシール１は、ティアドロップ型やジャズ型等の他のタイプのギターピックの他、ベース、マンドリン、大正琴など、ギター以外の弦楽器用のピックに使用することも可能である。
【００１９】
また、上記した本考案の実施の形態の説明は、本考案に係るピック用滑り止めシール１における好適な実施の形態を説明しているため、材質、形状、寸法等において技術的に好ましい種々の限定を付している場合もあるが、本考案の技術範囲は、特に本考案を限定する記載がない限り、これらの態様に限定されるものではない。
【００２０】
すなわち、上記した本考案の実施の形態における構成要素は適宜、既存の構成要素等との置き換えが可能であり、且つ、他の既存の構成要素との組合せを含む様々なバリエーションが可能であり、上記した本考案の実施の形態の記載をもって、実用新案登録請求の範囲に記載された考案の内容を限定するものではない。
【符号の説明】
【００２１】
１    ピック用滑り止めシール
１０  ギターピック（ピック）
【図１】
0003210341.tif 000003
【図２】
0003210341.tif 000004
【図３】
0003210341.tif 000005
【図４】
0003210341.tif 000006